(57)【要約】【課題】セル電圧モニターの振れまわりや浮きが生じない、セル電圧モニターのセルへの取付け構造の提供。【解決手段】（１）ハウジング３２と該ハウジングに保護された端子３１を有するセル電圧モニター３０を、燃料電池セルのセパレータの端部に形成された突出部３５に着座させるセル電圧モニターのセルへの取付け構造であって、セルのセパレータの突出部３５のセル電圧モニター着座面４１の長さを、セル電圧モニターのハウジング３２のセルへの着座側の面４２の長さ以上に確保した。（２）セル電圧モニターの端子３１のセパレータとの接触面４３に金メッキを施した。（３）セル電圧モニターの端子３１のばね定数を、該端子のセパレータとの接触部の幅で調整した。【選択図】　　　　図３
2004063176.tif 000002
【特許請求の範囲】
【請求項１】
ハウジングと該ハウジングに保護された端子を有するセル電圧モニターを、燃料電池セルのセパレータの端部に形成された突出部に着座させてセルに取付けるセル電圧モニターのセルへの取付け構造であって、
前記セルのセパレータの前記突出部のセル電圧モニター着座面の長さを、前記セル電圧モニターの前記ハウジングのセルへの着座側の面の長さ以上に確保したセル電圧モニターのセルへの取付け構造。
【請求項２】
前記セル電圧モニターの前記端子のセパレータとの接触面に金メッキを施した請求項１記載のセル電圧モニターのセルへの取付け構造。
【請求項３】
前記セル電圧モニターの前記端子のばね定数を、該端子のセパレータとの接触部の幅で調整した請求項１記載のセル電圧モニターのセルへの取付け構造。
【発明の詳細な説明】
【０００１】
【発明の属する技術分野】
本発明は、燃料電池用セル電圧モニターの燃料電池セパレータへの取付け構造に関する。
【０００２】
【従来の技術】
固体高分子電解質型燃料電池は、膜−電極アッセンブリ（ＭＥＡ：Ｍｅｍｂｒａｎｅ−Ｅｌｅｃｔｒｏｄｅ　Ａｓｓｅｍｂｌｙ　）とセパレータとの積層体からなる。膜−電極アッセンブリは、イオン交換膜からなる電解質膜とこの電解質膜の一面に配置された触媒層からなる電極（アノード、燃料極）および電解質膜の他面に配置された触媒層からなる電極（カソード、空気極）とからなる。膜−電極アッセンブリとセパレータとの間には、アノード側、カソード側にそれぞれ拡散層が設けられる。セパレータには、アノードに燃料ガス（水素）を供給するための燃料ガス流路が形成され、カソードに酸化ガス（酸素、通常は空気）を供給するための酸化ガス流路が形成されている。また、セパレータには冷媒（通常、冷却水）を流すための冷媒流路も形成されている。膜−電極アッセンブリとセパレータを重ねてセルを構成し、少なくとも１つのセルからモジュールを構成し、モジュールを積層してセル積層体とし、セル積層体のセル積層方向両端に、ターミナル、インシュレータ、エンドプレートを配置し、セル積層体をセル積層方向に締め付け、セル積層体の外側でセル積層方向に延びる締結部材（たとえば、テンションプレート）、ボルト・ナットにて固定して、スタックを構成する。
各セルの、アノード側では、水素を水素イオン（プロトン）と電子にする反応が行われ、水素イオンは電解質膜中をカソード側に移動し、カソード側では酸素と水素イオンおよび電子（隣りのＭＥＡのアノードで生成した電子がセパレータを通してくる、またはセル積層方向一端のセルのアノードで生成した電子が外部回路を通して他端のセルのカソードにくる）から水を生成するつぎの反応が行われる。
アノード側：Ｈ２　→２Ｈ＋　＋２ｅ−　
カソード側：２Ｈ＋　＋２ｅ−　＋（１／２）Ｏ２　→Ｈ２　Ｏ
各セル毎に、または複数のセル毎に、セルで正常な発電が行われていることを確認するとともに、セル電圧に基づいて反応ガスの流量制御を行ったり、異常電圧の場合モータにガードをかけるために、セル電圧がモニターされる。
【０００３】
特開平９−２８３１６６号公報は、セル電圧をモニタするために、各セルのセパレータに２つずつ丸穴を形成し、そこに１本１本モニタピン端子を差しこむ端子接続構造を提案している。
しかし、特開平９−２８３１６６号公報の燃料電池の端子接続構造には、つぎの問題があった。
▲１▼　セルの厚さが薄いのでそこに丸穴を形成すると、丸穴近傍のセルの強度が弱くなったり、丸穴の径を小さくするとピンの強度が弱くなったりして、端子接続部の構造上の信頼性を得にくい。
▲２▼　ピンのセル穴への差し込み構造のため、また抜け止め構造が無いので、ピンがセルから抜けやすく、抜けるとモニタ不良が生じる。
▲３▼　複数並列のモニタピンの各ピンに対して抜け止め構造を設ける場合は、各ピンの差し込み方向に抜け止めを配置することになるが、ピン差し込み方向には、ガス流路（ガスマニホルド含む）や冷却水路（冷却水マニホルド含む）が近接して配置されているので、抜け止め手段を設けるスペースをとりにくい。
【０００４】
上記問題を解決するために、本出願人は、先に（特願２００１−１５６４５３、平成１３年５月２５日出願、公開前の段階にある）、図８（本発明の図面のうち図６、図７も適用可能）のセル電圧モニタを提案した。
ハウジング３２とハウジング３２に保護された端子３１を有し、
端子３１は挟み込み部を有し該挟み込み部で燃料電池セルの端部を挟み込むことにより端子３１がセルにコンタクトされ、
ハウジング３２には爪３７が形成されており爪３７をセル１０のセパレータ１８に形成された突起３８と係合することによりハウジング３２のセル１０からの抜けを防止されている、
セル電圧モニター３０。
上記セル電圧モニター３０によって、端子３１のセルへの接続の強度上の信頼性を上げることができ、端子３１のセルからの抜け外れを防止できた。また、端子３１の抜け外れ防止構造を端子差し込み方向のスペースを増大させることなく設けることができた。
【０００５】
【発明が解決しようとする課題】
しかし、特願２００１−１５６４５３で提案したセル電圧モニターにも、セル電圧モニターのセルへの固定が不十分でセル電圧モニターの振れまわりや浮きが生じるおそれがあるという問題が、未だ、残されていた。
本発明の目的は、セル電圧モニターの振れまわりや浮きを防止できる、セル電圧モニターのセルへの取付け構造を提供することにある。
【０００６】
【課題を解決するための手段】
上記目的を達成する本発明はつぎの通りである。
（１）　ハウジングと該ハウジングに保護された端子を有するセル電圧モニターを、燃料電池セルのセパレータの端部に形成された突出部に着座させてセルに取付けるセル電圧モニターのセルへの取付け構造であって、
前記セルのセパレータの前記出起部のセル電圧モニター着座面の長さを、前記セル電圧モニターの前記ハウジングのセルへの着座側の面の長さ以上に確保したセル電圧モニターのセルへの取付け構造。
（２）　前記セル電圧モニターの前記端子のセパレータとの接触面に金メッキを施した（１）記載のセル電圧モニターのセルへの取付け構造。
（３）　前記セル電圧モニターの前記端子のばね定数を、該端子のセパレータとの接触部の幅で調整した（１）記載のセル電圧モニターのセルへの取付け構造。
【０００７】
上記（１）のセル電圧モニターのセルへの取付け構造では、突出部のセル電圧モニター着座面の長さをハウジングのセルへの着座側の面の長さ以上に確保したので、ワイヤハーネス等からセル電圧モニターに外力がかかってもセル電圧モニターの振れまわりや、浮きがなく、安定した電圧取り出しが可能となる。
上記（２）のセル電圧モニターのセルへの取付け構造では、端子のセパレータとの接触面に金メッキを施したので、端子とセパレータとの接触信頼性が向上する。
上記（３）のセル電圧モニターのセルへの取付け構造では、端子のセパレータとの接触部の幅のみを増大して端子のばね定数を上げ、接触荷重を増大させることにより、端子とセパレータとの接触信頼性を向上できる。
【０００８】
【発明の実施の形態】
以下に、本発明のセル電圧モニターのセルへの取付け構造を、図１〜図７を参照して、説明する。
本発明の電圧測定装置が取付けられてセル電圧がモニタされる燃料電池は、固体高分子電解質型燃料電池１０である。本発明の燃料電池１０は、たとえば燃料電池自動車に搭載される。ただし、自動車以外に用いられてもよい。
【０００９】
固体高分子電解質型燃料電池１０は、図１、図２に示すように、膜−電極アッセンブリ（ＭＥＡ：Ｍｅｍｂｒａｎｅ−Ｅｌｅｃｔｒｏｄｅ　Ａｓｓｅｍｂｌｙ　）とセパレータ１８との積層体からなる。膜−電極アッセンブリは、イオン交換膜からなる電解質膜１１とこの電解質膜１１の一面に配置された触媒層１２からなる電極１４（アノード、燃料極）および電解質膜１１の他面に配置された触媒層１５からなる電極１７（カソード、空気極）とからなる。膜−電極アッセンブリとセパレータ１８との間には、アノード１４側、カソード１７側にそれぞれ拡散層１３、１６が設けられる。セパレータ１８には、アノード１４に燃料ガス（水素）を供給するための燃料ガス流路２７（２７ａ）が形成され、カソード１７に酸化ガス（酸素、通常は空気）を供給するための酸化ガス流路２７（２７ｂ）が形成されている。また、セパレータ１８には冷媒（通常、冷却水）を流すための冷媒流路２６も形成されている。膜−電極アッセンブリとセパレータ１８を重ねてセル（単電池）を構成し、少なくとも１つのセルからモジュール１９を構成し、モジュールを積層してセル積層体とし、セル積層体のセル積層方向両端に、ターミナル２０、インシュレータ２１、エンドプレート２２を配置し、セル積層体をセル積層方向に締め付け、セル積層体の外側でセル積層方向に延びる締結部材２４（たとえば、テンションプレート）、ボルト・ナット２５にて固定して、スタック２３を構成する。
【００１０】
セパレータ１８は、燃料ガスと酸化ガス、燃料ガスと冷却水、酸化ガスと冷却水、の何れかを区画する。セパレータ１８は、また、導電性部材であり、隣り合うセルのアノードからカソードに電子が流れる電気の通路を形成している。１つのセルで、電解質膜１１を挟んでカソード側のセパレータが＋のセパレータであり、アノード側のセパレータが−のセパレータであり、電解質膜１１を挟んだ＋のセパレータと−のセパレータとの間にセル電圧（たとえば、約１Ｖ）が発生する。
セパレータ１８は、カーボン板に冷却水流路２６やガス流路２７を形成したもの、または、導電性粒子を混入して導電性をもたせた樹脂板に冷却水流路２６やガス流路２７を形成したもの、または、流路２６、２７を形成する凹凸のある金属板を複数枚重ね合わせたもの、または金属セパレータに樹脂フレームを組み合わせたもの、の何れかからなる。図示例は、セパレータ１８がカーボン板からなる場合を示している。
【００１１】
図３〜図７に示すように、燃料電池１０のセルでの電圧を測定するために、各セル毎に、または複数のセル毎に、セル電圧モニター（セル電圧モニターコネクタともいう）３０がセルに接続される。
各セル電圧モニター３０は、ハウジング３２と、ハウジング３２に着脱可能に保持されハウジング３２によって保護された少なくとも１つの（図では、一対の）端子３１を有する。ハウジング３２は非導電性材料であり、たとえば樹脂製である。端子３１は導電性の金属材料（たとえば、銅に金属メッキ、たとえば、錫メッキであるが、後述するように接触信頼性を上げるために金メッキを施してもよい）からなる。各端子３１はそれに対応するワイヤハーネス３３に接続されている。
【００１２】
端子３１は、セルのセパレータ１８に対して着脱可能に、かつセパレータ１８を挟むように、取り付けられる。端子３１は、セパレータ１８に直接コンタクトされる。
端子３１は、セパレータ１８を挟み込むようにセパレータ１８にコンタクトされるコ字状の挟み込み部３１ａと、ワイヤハーネスとの接続部３１ｂと、挟み込み部３１ａと接続部３１ｂとを連結する連結部３１ｃと、からなる。
端子３１は、ハウジング３２の函部３２ａに上方から収められて保護され、抜けないように絶縁用の蓋部３２ｂで押さえられる。蓋部３２ｂと函部３２ａには、それぞれ係止突起３９、４０が形成され、蓋部３２ｂが閉められた時に、蓋部３２ｂは函部３２ａに係止突起３９、４０部位で係止する。コ字状の挟み込み部３１ａの２つの脚は、ハウジング３２の函部３２ａのスリットを挿通してハウジング３２の側壁間でセパレータ１８側に延び、その部分でセパレータ１８の端部を挟み込み、セパレータ１８にコンタクトされる。
【００１３】
ハウジング３２は、端子３１を保持する函部３２ａと、ヒンジ部３２ｃで開閉可能に函部３２ａに連結された蓋部３２ｂと、函部３２ａ内を２つの空間に区切るとともに両端子３１間の絶縁部となる仕切部３２ｄと、からなる。図５は蓋部３２ｂを開けたところを示している。ハウジング３２の函部３２内の２つの空間のそれぞれに端子３１が配置され、その後蓋部３２ｂが閉じられて端子３１の函部３２ａからの抜けを防止する。
【００１４】
図６に示すように、ハウジング３２には、爪３７が形成されており、該爪３７をセルのセパレータ１８に形成された突起３８と係合することにより、ハウジング３２のセルのセパレータ１８からの抜けを防止されている。爪３７は、ハウジング３７のセルへの差し込み方向の先端部に形成されており、たとえば函部３２のセル差し込み方向に延びる壁と該壁に対向する仕切部３２ｄのセル差し込み方向に延びる壁の、セルへの差し込み方向の先端部に形成されており、挟み込むセパレータ１８側に向かって、セル電圧モニター３０のセルへの差し込み方向と直交する方向に突出している。また、セパレータ１８に形成された突起３８は、セパレータ１８の端部に形成されて、セル電圧モニター３０のセルへの差し込み方向と直交する方向に突出している。爪３７と突起３８とが、セル電圧モニター３０のセルへの差し込み方向に係合することにより、セル電圧モニター３０のセルからの抜け外れが防止される。
【００１５】
端子３１の挟み込み部３１ａと、ハウジング３２の爪３７とは、セル電圧モニター３０のセルへの差し込み方向（図３のＨ方向）と直交する方向（図３のＬ方向）に、並べて設けられている。燃料電池スタックがセル積層方向を水平方向にして設置される場合は、Ｈ方向は上下方向であり、Ｌ方向は水平方向（横方向）である。端子３１の挟み込み部３１ａとハウジング３２の爪３７とを横に並べた構造では、セル電圧モニター３０のサイズは、上下方向に小となり、水平方向に延長される。そして、燃料電池スタックがセル積層方向を水平方向にして設置され、セパレータ１８の両側位置にガスと冷却水のマニホルドが配置される場合、セル電圧モニター３０の上下方向サイズを小とすることにより、セル電圧モニター３０とセパレータ１８のガスと冷却水のマニホルドとの干渉が防止されている。
【００１６】
セル電圧モニター３０をセルを積層した燃料電池１０に接続するに際し、セル電圧モニター３０の一対の端子のうち一方の端子３１を燃料電池１０のセルのセパレータ１８にコンタクトさせ、他方の端子３１を前記セルに隣接するセルの、前記一方の端子がコンタクトするセパレータと同極のセパレータ１８にコンタクトさせてある。
【００１７】
一対の端子３１がコンタクトされるセパレータ１８の極性は＋であっても−であってもよい。図示例は、一対の端子３１が、一つのセルと隣接するセルの、＋極のセパレータ１８にコンタクトされる場合を示している。ハウジング３２に保持される一対の端子３１の間隔は、セル積層体の同じ極性のセパレータピッチに等しく、セル厚の１．５倍である。
図示例では、ハウジング３２に保持された２つの端子３１の一つは一つのセルの＋極性をもつセパレータを挟むように該セパレータにコンタクトされており、もう一つの端子は隣接するセルの＋極性をもつセパレータを挟むように該セパレータ（隣接セルのセパレータ）にコンタクトされている。
【００１８】
（イ）端子３１がコンタクトされない側の極性をもつセパレータ１８には、端子３１がコンタクトされる側の極性をもつセパレータ１８の端子接続部位に対応する部位に切り欠き３４が形成されている。あるいは、（ロ）端子３１がコンタクトされる側の極性をもつセパレータ１８には、端子３１にコンタクトされない側の極性をもつセパレータ１８から突出させた突出部３５が形成されている。あるいは、（ハ）端子３１がコンタクトされない側の極性をもつセパレータ１８に切り欠き３４が形成されるとともに、端子３１がコンタクトされる側の極性をもつセパレータ１８には突出部３５が形成されている。（イ）、（ロ）、（ハ）の何れかの構造とすることによって、端子３１のセパレータ１８への装着時に、端子３１がコンタクトされない側の極性をもつセパレータ１８に、セル電圧モニター３０が干渉しないようにしてある。
【００１９】
図３に示すように、ハウジング３２とハウジング３２に保護された端子３１を有するセル電圧モニター３０を、燃料電池セルのセパレータ１８の端部に形成された突出部３５に着座させてセルに取付けるセル電圧モニター３０のセルへの取付け構造において、セルのセパレータ１８の突出部３５のセル電圧モニター着座面４１（突出部３５の上面）の長さＤ１　が、セル電圧モニター３０のハウジング３２のセルへの着座側の面４２の長さＤ２　以上に確保されている。
図８の特願２００１−１５６４５３ではＤ１　＜Ｄ２　であったが、本発明では、図３に示すように、Ｄ１　≧Ｄ２　とされている。ただし、特願２００１−１５６４５３も本発明も、Ｄ２　はほとんど同じである。
【００２０】
また、セル電圧モニター３０の端子３１のセパレータ１８との接触面４３に金メッキが施されている。図８の特願２００１−１５６４５３では端子３１のセパレータとの接触面には貴金属以外のメッキ、たとえば、錫メッキが施されていたが、本発明では導電性の良好な金メッキとしてある。
【００２１】
また、セル電圧モニター３０の端子３１のばね定数は、端子３１のセパレータ１８との接触部の幅Ｗで調整され、差し込み方向の形状寸法は図８の特願２００１−１５６４５３と変えないようにする。接触抵抗を小さくするためには、端子３１のセパレータ１８との接触荷重が大きい方がよいので、本発明では、図８の特願２００１−１５６４５３の、端子３１のセパレータ１８との接触部の幅Ｗより大としてある。たとえば、図８の特願２００１−１５６４５３のＷは突出部３５の突出高さの約２倍であるが、本発明ではＷは突出部３５の突出高さの約２．５倍以上として、従来の比べて挟み込み部３１ａのばね定数を２．５／２＝１．２５倍以上としてある。
【００２２】
つぎに、セル電圧モニター３０のセルへの取付け構造の作用を説明する。
まず、端子３１がコ字状の挟み込み部３１ａでセルのセパレータ１８の端部を挟み込むことにより、端子３１がセルのセパレータ１８の端部にコンタクトされるので、端子３１およびセルのセパレータ１８の端部共に、強度が従来のピンのセパレータ丸穴への差し込み構造に比べて増大され、強度上の信頼性も向上される。すなわち、従来のように丸穴近傍でセパレータが欠けることもなく、またピン径が丸穴径によって制限された従来の場合のように端子の強度が丸穴によって制限されることもないので、本発明の挟み込み構造をもつ端子は、その強度が従来のピンのセパレータ丸穴への差し込み構造に比べて増大され、強度上の信頼性も向上される。
【００２３】
また、ハウジング３２に爪３７を設け、爪３７をセルのセパレータ１８に形成した突起３８に、セル電圧モニターのセルへの差し込み方向と逆方向に係合させたので、セル電圧モニター３０がセルからセル電圧モニターのセルへの差し込み方向と逆方向に抜けることが防止される。セル電圧モニター３０をセルに押し込む時、爪３７が樹脂製のハウジング３７の函部３２ａのセル側に向かって延びる壁に形成されているので、函部３２ａの壁が弾性変形で撓むことによって爪３７は容易に突起３８を乗り越えることができ、乗り越えた途端に函部３２ａの壁が元の位置に戻ることによって、爪３７は突起３８に自動的に係合する。したがって、セル電圧モニター３０のセルからの抜け外れ防止に、余分の作業が必要となることはない。
【００２４】
また、端子の挟み込み部３１ａと、ハウジング３２の爪３７とが、セル電圧モニター３０のセルへの差し込み方向Ｈと直交する方向Ｌに、並べて設けられているので、セル電圧モニター差し込み方向Ｈのスペースを増大させることなく、セル電圧モニター３０のセルからの抜け止め構造３７、３８を設けることができる。抜け止め構造がセル電圧モニター差し込み方向Ｈのスペースを増大させると、切り欠き３４がガスマニホルド部や冷却水マニホルド部に掛かるようになるので、そのような構造をとることができなくなるが、本発明では、端子の挟み込み部３１ａとハウジング３２の爪３７とを横方向に並べて設けたので、セル電圧モニター差し込み方向Ｈのスペースを増大させることがなく、抜け止め構造を設けることができる。
【００２５】
また、図３に示すように、セルのセパレータ１８の突出部３５のセル電圧モニター着座面４１（突出部３５の上面）の長さＤ１　が、セル電圧モニター３０のハウジング３２のセルへの着座側の面４２の長さＤ２　以上に確保されているので、ワイヤハーネス３３等からセル電圧モニター３０に外力（たとえば、蓋部３２ｂの開閉方向と同方向のモーメント力など）がかかってもセル電圧モニター３０の振れまわり（たとえば、蓋部３２ｂの開閉方向と同方向の振れまわり）や、浮きがなく、安定した電圧取り出しが可能となる。図８の例では、蓋部３２ｂの閉方向と同方向のモーメントがセル電圧モニター３０にかかると、セル電圧モニター３０のハウジング３２の長手方向一端部は突出部３５のセル電圧モニター着座面４１から浮き上がろうとするが、本発明では浮きが防止または抑制される。
【００２６】
また、端子３１の、セパレータ１８との接触面４３に、金メッキを施したので、端子３１とセパレータ１８との接触部が酸化することが抑制され、接触部の信頼性が向上する。
また、本発明では、端子３１のセパレータ１８との接触部の幅Ｗを従来に比べて増大して、端子３１の挟み込み部３１ａのばね定数を上げ、端子３１のセパレータ１８との接触荷重を増大させたので、端子３１とセパレータ１８との接触信頼性を向上できる。この場合、セル電圧モニター差し込み方向の形状寸法は変えずに、セル電圧モニター差し込み方向と直交方向のみの形状寸法を変えたので、セル電圧モニター差し込み方向Ｈの制約は図８の制約と同じにすることができる。
【００２７】
【発明の効果】
請求項１のセル電圧モニターのセルへの取付け構造によれば、突出部のセル電圧モニター着座面の長さをハウジングのセルへの着座側の面の長さ以上に確保したので、ワイヤハーネス等からセル電圧モニターに外力がかかってもセル電圧モニターの振れまわりや、浮きがなく、安定した電圧取り出しが可能となる。
請求項２のセル電圧モニターのセルへの取付け構造によれば、端子のセパレータとの接触面に金メッキを施したので、端子とセパレータとの接触信頼性を向上できる。
請求項３のセル電圧モニターのセルへの取付け構造によれば、端子のセパレータとの接触部の幅のみを増大して端子のばね定数を上げたので、接触荷重を増大させることにより、端子とセパレータとの接触信頼性を向上できる。
【図面の簡単な説明】
【図１】本発明実施例のセル電圧モニターのセルへの取付け構造が適用される燃料電池の全体概略図である。
【図２】図１の燃料電池の一部拡大断面図である。
【図３】本発明実施例のセル電圧モニターのセルへの取付け構造の側面図である。
【図４】本発明実施例のセル電圧モニターのセルへの取付け構造で用いられるセル電圧モニターの、ハウジングの蓋部を開けた状態での、平面図である。
【図５】本発明実施例のセル電圧モニターのセルへの取付け構造の正面図である。
【図６】図３のＡ−Ａ断面図である。
【図７】図３のＢ−Ｂ断面図である。
【図８】特願２００１−１５６４５３の、本願発明の図３に対応する部分の、側面図である。
【符号の説明】
１０　（固体高分子電解質型）燃料電池
１１　電解質膜
１２　触媒層
１３　拡散層
１４　電極（アノード、燃料極）
１５　触媒層
１６　拡散層
１７　電極（カソード、空気極）
１８　セパレータ
１９　モジュール
２０　ターミナル
２１　インシュレータ
２２　エンドプレート
２３　スタック
２４　テンションプレート
２５　ボルト
２６　冷却水流路
２７　ガス流路
３０　セル電圧モニター
３１　端子
３１ａ　挟み込み部
３１ｂ　接続部
３１ｃ　連結部
３２　ハウジング
３２ａ　函部
３２ｂ　蓋部
３２ｃ　ヒンジ部
３２ｄ　仕切部
３３　ワイヤハーネス
３４　切り欠き
３５　突出部
３７　爪
３８　突起
３９、４０　係止突起
４１　セル電圧モニター着座面
４２　ハウジングのセルへの着座側の面
４３　端子の、セパレータとの接触面
【図１】
2004063176.tif 000003
【図２】
2004063176.tif 000004
【図３】
2004063176.tif 000005
【図４】
2004063176.tif 000006
【図５】
2004063176.tif 000007
【図６】
2004063176.tif 000008
【図７】
2004063176.tif 000009
【図８】
2004063176.tif 000010